(57)【要約】【課題】電力ケーブルを容易に扱えるようにし、利用者に対して高い安全性を与え、設計も簡単である大電流ブッシング用コネクタを提供する。【解決手段】  第1の主軸１３を有する少なくとも一本のピン１２を含む大電流ブッシング用コネクタ１０は、第2の主軸１６を有するソケット１５とこのソケット１５を少なくとも部分的に覆う第1の絶縁体２１とを含む第1の組立体を備えている。本発明では、その第1の組立体はソケット１５の第2の主軸１６に中心を置く孔２３を含むキャップ２２と、このキャップ２２を第1の絶縁体２１に取り付けるロック手段２４とを備えている。コネクタ１０は、第2の絶縁体２８とこの第2の絶縁体２８を電気ブッシング１１に取り付ける固定手段２９とを含む第2の組立体を備え、前記の第2の絶縁体２８は前記のピン１２を包囲し、そしてソケット１５にピン１２を挿入するとき第1の絶縁体２１を受入れる、第1の主軸１３に中心を置く少なくとも一つの孔を含んでいる。
2006507638.tif 000002
【特許請求の範囲】
【請求項１】
第1の主軸１３を有する少なくとも一本のピン１２を含む大電流ブッシング用コネクタであって、第2の主軸１６を有するソケット１５と第1の絶縁体２１とを含む第1の組立体を備え、前記のソケット１５は電気ケーブル１７に取り付けるためのものであり、そして前記の第1の絶縁体２１は前記のソケット１５を少なくとも部分的に覆うようになっている大電流ブッシング用コネクタにおいて、
第1の組立体はソケット１５の第2の主軸１６に中心を置く孔２３を含むキャップ２２と、このキャップ２２を第1の絶縁体２１に取り付けるロック手段２４とを備え、第1の絶縁体２１に取り付けるとキャップ２２は前記の絶縁体２１を部分的に覆うようになっており、そして
コネクタ１０は、第2の絶縁体２８とこの第2の絶縁体２８を電気ブッシング１１に取り付ける固定手段２９とを含む第2の組立体を備え、前記の第2の絶縁体２８は前記のピン１２を包囲し、そしてソケット１５にピン１２を挿入するとき第1の絶縁体２１を受入れる、第1の主軸１３に中心を置く少なくとも一つの孔を含んでいることを特徴とした大電流ブッシング用コネクタ。
【請求項２】
第1と第2の絶縁体２１，２８と、キャップ２２とは剛性で、絶縁プラスチック材からつくられている請求項１に記載の大電流ブッシング用コネクタ。
【請求項３】
前記の材料はポリエーテル  エーテル  ケトンである請求項２に記載の大電流ブッシング用コネクタ。
【請求項４】
キャップ２２は第1の絶縁体２１に面する円筒状の孔２７を含んでいる請求項１ないし３のいずれかに記載の大電流ブッシング用コネクタ。
【請求項５】
ロック手段は平頭ネジを含む請求項４に記載の大電流ブッシング用コネクタ。
【請求項６】
固定手段はボルトを含む請求項１ないし５のいずれかに記載の大電流ブッシング用コネクタ。
【請求項７】
第1の絶縁体２１の外面と、キャップ２２と第2の絶縁体２８の内面とは少なくとも部分的にネジをつけられていて、一方ではキャップ２２を第1の絶縁体２１にねじ込み、そして他方では第2の絶縁体２８へ第1の絶縁体２１をねじ込めるようにしている請求項１ないし６のいずれかに記載の大電流ブッシング用コネクタ。
【発明の詳細な説明】
【技術分野】
【０００１】
本発明は大電流ブッシング用コネクタに係るものである。
【背景技術】
【０００２】
超高真空下で層をつくるのに使用されている現在の技術の一つは分子ビーム・エピタクシ（ＭＢＥ）と呼ばれている。形成しようとする層の構成成分を含む材料を金属もしくは半導体基板へ運んでそこに吸着させることによってエピタキシヤル層を前述の技術によりつくることができる。汚染を免れたフイルムを得るためこの材料の蒸着は真空室内で、好ましくは超高真空室、すなわち１０−９ミリバールよりも低い圧力の室内で行われる。
【０００３】
この分子ビーム・エピタクシを行うための最も新しい材料源はナッセン・タイプ（Knudsen-type）のソースからの蒸発である。それはジュール熱で加熱される炉であり、例えば円筒もしくは円錐形をしていて窒化ホウ素もしくは高純度のグラファイトからできている。
【０００４】
ジュール効果は例えばフイラメントのような抵抗素子を使うことにより得るのが普通である。ある種の材料を蒸発させるには１０００℃を越える温度を必要とし、このことはその抵抗要素に大電流を注入することを意味している。それ故、一連の要素はその抵抗要素に必要とされる電流を伝送する必要がある。例えば、少なくとも５０Ａ程度の大電流ブッシング１は真空室内の抵抗要素と発電機を配置した真空室外とを結ぶリンクを構成することになる（図１）。３５Ａと５０Ａとの間の電流に対しては例えば、１０ｍｍ２の断面積の電気ケーブル２がそのような発電機と電気ブッシング１との間のリンクをつくる。銅ラグ（耳状端子）の電気接続３を使って大電流ブッシングと電力ケーブル２との間を接続する。
【０００５】
しかし、このタイプの接続は電力ケーブル２の扱いを容易なものとしない。このため、例えばセルを替えるため電力ケーブル２を取り外し、取り付けるにはラグ３のところでネジ５を締めたり、緩めたりしなければならない。そのとき、電気ブッシング１は捩じられてその結果電気ブッシング１の締め付けを緩くし勝ちである。さらに、ラグ取り付け３にかかる作用が利用者の電気的な安全問題を生じる。この取扱いが絶縁物の除去を必要とするからである。
【発明の開示】
【発明が解決しようとする課題】
【０００６】
本発明の目的は、電力ケーブルを容易に扱えるようにし、利用者に対して高い安全性を与えながら、電導性に優れ、設計が簡単でありそして経済性もよい大電流ブッシング用コネクタを提供することである。
【課題を解決するための手段】
【０００７】
この観点において本発明は、第1の主軸を有する少なくとも一本のピンを含む大電流ブッシング用コネクタに係り、それは第2の主軸を有するソケットを含む第1の組立体と第1の絶縁体とを備えており、前記のソケットは電気ケーブルに取り付けるためのものであり、そして前記の第1の絶縁体はソケットを少なくとも部分的に覆うためのものである。
【０００８】
本発明に従って、
‐第1の組立体はソケットの第2の主軸に中心を置く孔を含むキャップと、このキャップを第1の絶縁体に取り付けるロック手段とを備え、第1の絶縁体に取り付けるとキャップは前記の絶縁体を部分的に覆うようになっており、
そして
‐コネクタは、第2の絶縁体とこの第2の絶縁体を電気ブッシングに取り付ける固定手段とを含む第2の組立体を備え、この第2の絶縁体は前記のピンを包囲し、そしてソケットをピンに挿入するとき第1の絶縁体を受ける、第1の主軸に中心を置く少なくとも一つの孔を含んでいる。
【０００９】
様々な実施例では以下の特徴を単独にもしくは技術的に可能な組合せにおいて有する。
‐第1と第2の絶縁体と、キャップとは剛性で、絶縁プラスチック材からつくられている。
‐その材料はポリエーテル  エーテル  ケトンである。
‐ロック手段は平頭ネジを含む。
‐固定手段はボルトを含む。
‐第1の絶縁体の外面と、キャップと第2の絶縁体の内面とは少なくとも部分的にネジをつけられていて一方ではキャップを第1の絶縁体にねじ込み、そして他方では第2の絶縁体へ第1の絶縁体をねじ込めるようにしている。
【発明を実施するための最良の形態】
【００１０】
以下に添付図を参照して本発明を詳細に説明する。
【００１１】
本発明は、大電流ブッシング１１へ電力ケーブルを電気的に結合するコネクタ１０を提供することを目的としている。これらのブッシング１１はよく知られており、閉じた空間内に配置された素子とその空間外の発電機との間を電気的に接続するものである。このような電気ブッシング１１は第1の主軸１３を有し、直径がｄである少なくとも一本のピン１２を含んでいる。実施例ではこのピン１２はフランジ１４へはんだ付けされていて、真空系に取り付けられる。しかし、本発明のコネクタ１０はこの実施例に限定されるものではなく、一般の大電流ブッシング１１を対象とするものである。
【００１２】
図２を参照する。コネクタ１０は第2の主軸１６を有するソケット１５を含む第1の組立体を備えている。このソケット１５は電気ケーブル１７へ典型的には締め付けによって取り付ける。それの部分１９は第2の主軸１６に中心を置く直径ｄの孔２０を含み、ケーブル１７と電気ブッシング１１との間を電気的に接続すると孔２０は電気ブッシング１１のピン１２を包囲する。ソケット１５は導電性であり、そして接触抵抗の小さい材料からつくられており、その材料は高純度の銅、銀であるのが好ましい。第1の組立体もソケット１５を少なくとも部分的に覆う第1の絶縁体２１を含んでいる。
【００１３】
好ましい実施例ではこの絶縁体２１は、ピン１２もしくは電力ケーブル１７を受けるのに使う孔１８，２０を除いてソケット１５全体を覆う。
【００１４】
さらに、第1組立体は、ソケットの第2の主軸１６に中心を合わせた第1の孔２３を含むキャップ２２と、このキャップ２２を第1の絶縁体２１へ取り付けるロック手段２４を備えている。「キャップ」とは底２６と一体の壁２５を含む絶縁材料の部品を意味する。この部品の内径Ｄは少なくとも第1の絶縁体２１の外径に等しくなっていてキャップ２２を第1の絶縁体２１へ固定した後は絶縁体２１を部分的に覆っている。  
【００１５】
キャップ２２が第1の絶縁体２１に面している第2の円筒状の孔２７を備えているのが好ましく、そしてその場合はロック手段２４は平頭ネジを含んでいる。キャップ２２は第1の絶縁体２１の外面に平頭ネジへ押しつけられる。
【００１６】
第1組立体の取り付け法を説明する。電力ケーブル１７にソケット１５を圧着する前にキャップ２２の第1の孔２３にケーブルを通す。ソケット１５を圧着するとキャップ２２を第1の絶縁体２１に取り付けてソケット１５を覆い、ロック手段２４をねじ込んだ後固定する。
【００１７】
コネクタは第2の絶縁体２８とこの第2の絶縁体を電気ブッシングに取り付ける固定手段２９とを備えている。これらの固定手段２９は例えばボルトである。
【００１８】
第2の絶縁体２８はピン１２を包囲し、そして第1の主軸１３に中心を置く少なくとも一つの孔を含み、この孔の内径ｄ’はソケット１５にピン１２を挿入した後キャップ２２まで第1の絶縁体２１を包囲する。
【００１９】
好ましい実施例では第1と第2の絶縁体２１，２８とキャップ２２とは剛性の絶縁プラスチック材料でできており、その材料はポリエーテル  エーテル  ケトン（ＰＥＥＫ）もしくはＶＥＳＰＥＬなどのポリイミドである。
【００２０】
実施例では第1の絶縁体２１の外側面とキャップ２２と第2の絶縁体２８の内面とに少なくとも部分的にネジを切ってある。コネクタを組立てるときキャップ２２を第1の絶縁体２１にねじ込んでその絶縁体２１を部分的に覆う。第1の絶縁体２１は、電力ケーブル１７を電気ブッシング１１に接続したときそれ自体第2の絶縁体２８にねじ込まれていって一体接続となっているのが好都合である。
【００２１】
別の実施例では、キャップ２２の内径Ｄは第1の絶縁体２１の外径よりも小さく、キャップ２２が第1の熱絶縁体２１に食い込むようにする。
【００２２】
第2の絶縁体２８の内径ｄ’は第1の絶縁体２１の外径と等しいか、もしくは小さくなっていて、第1の組立体が第2の組立体に自由に抜き差しされるようになっている。
【００２３】
図３の本発明の実施例ではコネクタが蒸着源３０に電気接続をつくっている。このフランジ３１も熱電温度計を介しての温度計測器３２を含んでいる。
【００２４】
電気ブッシング１１に第2の絶縁体２８を取り付ける固定手段２９は、大電流ブッシング１１のフランジ１４を蒸着源３０の支持フランジへ取り付けるネジとボルトから成る。
【００２５】
上記のコネクタは、大電流の注入、それ故大電流ブッシングの使用を必要とするどのようなシステムにも使用して有利である。ポリエーテル  エーテル  ケトンの絶縁体の耐熱性は良好であり（２０，０００時間以上２５０℃）、そして本発明のコネクタは高温に曝されるシステムに使用できる。
【図面の簡単な説明】
【００２６】
【図１】従来の大電流ブッシング用伝導銅ラグフイッテイングを含む電力系を表す略図である。
【図２】本発明の大電流ブッシング用コネクタの略図である。
【図３】本発明の実施例によるコネクタを含む、坩堝内の抵抗素子に電力を供給する一連の素子を表す略図である。
【符号の説明】
【００２７】
１      大電流ブッシング
２      電力ケーブル
３      ラグ
４      蒸着源
５      ネジ
１０    コネクタ
１１    大電流ブッシング
１２    ピン
１３    第1の主軸
１４    フランジ
１５    ソケット
１６    第2の主軸
１７    電気ケーブル
１８    孔
１９  （ソケットの）部分
２０    孔
２１    第1の絶縁体
２２    キャップ
２３    第1の孔
２４    ロック手段
２５    壁
２６    底
２７    第2の孔
２８    第2の絶縁体
２９    固定手段
３０    蒸着源
３１    フランジ
３２    温度計測器
【図１】
2006507638.tif 000003
【図２】
2006507638.tif 000004
【図３】
2006507638.tif 000005
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
第1の主軸１３を有する少なくとも一本のピン１２を含む真空室の大電流ブッシング１１用コネクタであって、
コネクタ１０は第2の主軸１６を有するソケット１５と第1の絶縁体２１とを含む第1の組立体を備え、前記のソケット１５は電気ケーブル１７に取り付けるためのものであり、そして前記の第1の絶縁体２１はソケット１５を少なくとも部分的に覆うようになっており、またコネクタ１０は第2の絶縁体２８とこの第2の絶縁体２８を電気ブッシング１１に取り付ける固定手段２９とを含む第2の組立体を備え、前記の第2の絶縁体２８は前記のピン１２を包囲し、そしてソケット１５にピン１２を挿入するとき第1の絶縁体２１を受ける、第1の主軸１３に中心を置く少なくとも一つの孔を含んでおり、前記の第1の組立体はソケット１５の第2の主軸１６に中心を置く孔２３を含むキャップ２２をも備えている、大電流ブッシング用コネクタにおいて、
このキャップ２２は、第1の絶縁体２１の外面にキャップ２２を圧力により取り付けられるようにする平頭ネジを含むロック手段２４を備え、第1の絶縁体２１に取り付けるとキャップ２２は前記の絶縁体２１を部分的に覆うことを特徴とした大電流ブッシング用コネクタ。
【請求項２】
第1と第2の絶縁体２１，２８と、キャップ２２とは剛性で、絶縁プラスチック材からつくられている請求項１に記載の大電流ブッシング用コネクタ。
【請求項３】
前記の材料はポリエーテル  エーテル  ケトンである請求項２に記載の大電流ブッシング用コネクタ。
【請求項４】
キャップ２２は第1の絶縁体２１に面する円筒状の孔２７を含んでいる請求項１ないし３のいずれかに記載の大電流ブッシング用コネクタ。
【請求項５】
ロック手段２９はボルトを含む請求項１ないし４のいずれかに記載の大電流ブッシング用コネクタ。
【請求項６】
第1の絶縁体２１の外面と、キャップ２２と第2の絶縁体２８の内面とは少なくとも部分的にネジをつけられていて、一方ではキャップ２２を第1の絶縁体２１にねじ込み、そして他方では第2の絶縁体２８へ第1の絶縁体２１をねじ込めるようにしている請求項１ないし５のいずれかに記載の大電流ブッシング用コネクタ。
【国際調査報告】
2006507638.tif 000006
2006507638.tif 000007
2006507638.tif 000008
2006507638.tif 000009
2006507638.tif 000010
2006507638.tif 000011